(57)【特許請求の範囲】
【請求項１】
本棚の棚板上に陳列された複数冊の書籍の背表紙の位置を揃える書籍前揃え装置であっ
て、
前記棚板の幅方向に所定の長さを有し、前記棚板上を奥行方向に平行移動可能な摺動部材
と、
前記摺動部材より後方に前記棚板の奥行方向の任意の位置に配置され、前記摺動部材を前記棚板の奥行方向に摺動移動可能とする押し出し部材と、
前記本棚の前部に棚板の幅方向に所定の長さを有し、書籍の前揃え時に書籍の背表紙が接触し移動を停止させることが可能な阻止部材と、
を備えていることを特徴とする書籍前揃え装置。
【請求項２】
前記摺動部材は、前記棚板上に幅方向に複数配置され、前記本棚の奥行方向に摺
動可能とすることを特徴とする請求項１に記載の書籍前揃え装置。
【請求項３】
前記押し出し部材は、複数の前記摺動部材を個別に摺動させるための複数の突起部を備えていることを特徴とする請求項１または２に記載の書籍前揃え装置。
【請求項４】
前記阻止部材は前記本棚前面の下部に配置され前記棚板と段差を構成しているこ
とを特徴とする請求項１ないし３のいずれかに記載の書籍前揃え装置。
【請求項５】
前記摺動部材は、隣接する該摺動部材の位置に関係なく前記棚板上を奥行方向に平行に移動可能とすることを特徴とする請求項１ないし４のいずれかに記載の書籍前揃え装置。
【請求項６】
前記押し出し部材は前記本棚の外部で操作可能として、回転又は直線運動により、前記摺動部材を押し出し可能とすることを特徴とする請求項１ないし５のいずれかに記載の書籍前揃え装置。
【請求項７】
棚板上に複数冊の書籍が陳列される本棚であって、
前記棚板の幅方向に所定の長さを有し、前記棚板上を奥行方向に平行移動可能な摺動部材と、前記摺動部材より後方に前記棚板の奥行方向の任意の位置に配置され、前記摺動部材を前記棚板の奥行方向に摺動可能とする押し出し部材と、前記本棚の前部の幅方向に所定の長さを有し、書籍の前揃え時に書籍の背表紙が接触し移動を停止させることが可能な前記阻止部材と、を備える書籍前揃え装置が前記本棚に配置されてなるとともに、前記押し出し部材を前記本棚の外部で操作可能として、前記押し出し部材の回転又は直線運動により、前記摺動部材を押し出し可能とすることを特徴とする書籍前揃え装置を備える本棚。
【発明の詳細な説明】
【技術分野】
【０００１】
本発明は、書籍前揃え装置及び書籍前揃え装置を備える本棚に関する。
【背景技術】
【０００２】
従来、保育所等の施設では、設置された本棚の棚板上に複数冊の書籍が陳列されている。これらの書籍に関しては、利用者が出し入れする度にその背表紙の位置が乱れてしまい、背表紙を確認し難くなる問題や、書籍を取り出し難くなる問題等がある。そのため、施設の従業員は、本棚の棚板上に陳列された複数冊の背表紙の位置を手作業で揃える、所謂前揃え作業が必要である。
【０００３】
このような前揃え作業を簡便にするための装置としては、例えば特許文献１に示されるように、図書館等においての利用を想定された書籍前揃え装置を備える書架がある。この書架は棚板の幅方向に所定の長さを有し、棚板上を奥行方向に移動可能な前出し部材と、前出し部材より前方に前出し部材の長手方向の任意の位置に配置され、前記前出し部材を前記棚板の奥行方向に往復移動可能とする操作部材と、前記棚板の幅方向に所定の長さを有し、前記操作部材に当接した状態で前記操作部材を押すことが可能な押し戻し部材とを有している。
【０００４】
操作部材を手前側に引き出すことで、棚板の幅方向に所定の長さを有する前出し部材が棚板の手前側に移動するのに伴い、奥行寸法の小さい書籍も含めて複数の書籍が一旦前出しされる。その後押し戻し部材を棚板の奥側が移動される。これにより、奥行き寸法が異なる複数冊の書籍の背表紙を押し戻し部材により同時に押して簡便に前揃えさせることができる。
【０００５】
このような装置は、奥行寸法が異なる複数冊の書籍の背表紙を簡便に揃えることができるものの、手順としては、以下の４段階が必要である。
（１）前記操作部材を取り付ける。
（２）前記操作部材を手前に引き書籍を手前にすべて引き出す。
（３）前記押し戻し部材を押して揃える。
（４）前記操作部材を取り外して所定の位置に戻す。
これは、手作業で書籍の背表紙を揃えることに比べれば簡便と言えるが、操作手順は依然として多い。このため、操作のさらなる単純化が求められる。
【先行技術文献】
【特許文献】
【０００６】
【特許文献１】特開２０１９−８３９７１号公報（第１０項、第１図）
【発明の概要】
【発明が解決しようとする課題】
【０００７】
本発明は、このような点に着目してなされたもので、奥行寸法が異なる複数冊の書籍の背表紙をより少ない工程で揃えることができる書籍前揃え装置及び書籍前揃え装置を備える本棚を提供することを目的とする。
【課題を解決するための手段】
【０００８】
前記課題を解決するために、本発明の書籍前揃え装置は、
本棚の棚板上に陳列された複数冊の書籍の背表紙の位置を揃える書籍前揃え装置であって、
棚板の幅方向に所定の長さを有し、棚板上を奥行方向に平行移動可能な摺動部材と、摺動部材より後方に棚板の奥行方向の任意の位置に配置され、摺動部材を棚板の奥行方向に摺動可能とする押し出し部材と、本棚前部の幅方向に所定の長さを有し、書籍の前揃え時に書籍の背表紙が接触し移動を停止させることが可能な阻止部材と、
を備えていることを特徴としている。
【０００９】
この特徴によれば、押し出し部材を操作することで、棚板上を奥行方向に平行移動可能な摺動部材が棚板の手前側に移動するに伴い、奥行き寸法の小さい書籍も含めて複数冊の書籍を同時に前出しさせ、その後、奥行寸法の大きい書籍から、背表紙が阻止部材に当接し停止する。押し出し部材を引き続き操作し続けることにより、奥行き寸法の大きい書籍に対応する突起部はしなる等の変形を起こし、奥行き寸法の小さい書籍に対応する突起部は引き続き摺動部材とともに書籍を手前側に移動させ続ける。
【００１０】
すべての書籍が阻止部材に当接したら押し出し部材の操作を停止する。以上の操作で複数の書籍の背表紙の位置を従来に比べ少ない工程数で揃えることができる。
【００１１】
前記摺動部材は、前記棚板上に幅方向に複数配置され、前記本棚の奥行方向に摺動可能とすることを特徴としている。
この特徴によれば、棚板上での摺動部材の動作方向が変化せず、単一方向を往復することができる。
【００１２】
前記押し出し部材は、複数の前記摺動部材を個別に摺動させるための複数の突起部を備えていることを特徴としている。
この特徴によれば、棚板上の複数冊の書籍を一度に押すことができるとともに、奥行寸法の大きい書籍が阻止部材に当接し停止したとしても対応する突起部が変形することにより、押し出し部材全体の停止を回避することができる。
【００１３】
前記阻止部材は前記本棚前面の下部に固定され前記棚板と段差を構成していることを特徴としている。
この特徴によれば、書籍が本棚前面からはみ出すことを防止するとともに、押し出し部材の突起部による本棚奥側からの書籍への加圧を相殺することができる。
【００１４】
前記摺動部材は、隣接する該摺動部材の位置に関係なく前記棚板上を奥行方向に平行に移動可能とすることを特徴としている。
この特徴によれば、各摺動部材は隣接する摺動部材に動作を阻害されずに書籍とともに移動することができる。
【００１５】
前記押し出し部材は前記本棚の外部で操作可能として、回転又は直線運動により、前記摺動部材を押し出し可能とすることを特徴としている。
この特徴によれば、押し出し部材に対して単一の操作を行うことにより書籍の前揃え作業を完了することができる。
【００１６】
前記課題を解決するために、本発明の書籍前揃え装置を備える本棚は、
棚板上に複数冊の書籍が陳列される本棚であって、
前記棚板の幅方向に所定の長さを有し、前記棚板上を奥行方向に平行移動可能な摺動部材と、前記摺動部材より後方に前記棚板の奥行方向の任意の位置に配置され、前記摺動部材を前記棚板の奥行方向に摺動可能とする押し出し部材と、前記本棚前部の幅方向に所定の長さを有し、書籍の前揃え時に書籍の背表紙が接触し移動を停止させることが可能な前記阻止部材と、を備える書籍前揃え装置が前記本棚に配置されてなるとともに、前記押し出し部材を前記本棚の外部で操作可能として、前記押し出し部材の回転又は直線運動により、前記摺動部材を押し出し可能とすることを特徴としている。
この特徴によれば、押し出し部材を操作することで、棚板の幅方向に所定の長さを有した棚板上を奥行方向に平行移動可能な摺動部材が棚板の手前側に移動するに伴い、奥行寸法の小さい書籍も含めて複数冊の書籍を前出しさせ、その後、奥行寸法の大きい書籍から、背表紙が阻止部材に当接し停止するが押し出し部材を引き続き操作し続けることにより、奥行寸法の大きい書籍に対応する突起部はしなる等の変形を起こし、奥行寸法の小さい書籍に対応する突起部は引き続き摺動部材とともに書籍を手前側に移動させ続ける。
【００１７】
すべての書籍が阻止部材に当接したら押し出し部材の操作を停止する。以上の操作で複数冊の書籍の背表紙の位置を一度に揃えることができる。
【図面の簡単な説明】
【００１８】
【図１】本発明の実施例１における書籍前揃え装置を備える本棚を示す斜視図である。
【図２】本棚の棚板上の溝形状を示す斜視図である。
【図３】書籍前揃え装置の摺動部材を示す斜視図である。
【図４】本棚と摺動部材を組み合わせた状態を示す斜視図である。
【図５】押し出し部材を示す斜視図である。
【図６】上方から見た時の前出し作業開始時を示す図である。
【図７】上方から見た時の前出し作業終了時を示す図である。
【図８】前出し作業終了時を示す斜視図である。
【図９】前出し終了時の押し出し部材の突起部の姿勢を示す側面図である。
【図１０】押し出し部材の突起部を板ばねに変更した状態を示す斜視図である。
【図１１】押し出し部材に板ばねを使用した時の前出し作業中を示す図である。
【図１２】押し出し部材に板ばねを使用した時の前出し作業終了時の変形を示す図である。
【発明を実施するための形態】
【００１９】
本発明に係る書籍前揃え装置、及び書籍前揃え装置を備える本棚を実施するための各種実施形態図面を参照して以下に説明する。
（第１の実施の形態）
【００２０】
第１の実施の形態に係る書籍前揃え装置及び書籍前揃え装置を備える本棚につき、図１から図９を参照して説明する。
【００２１】
図１に示されるように、書籍前揃え装置１は、本棚２の棚板３上に陳列された複数冊の書籍Ａの背表紙Ａ１の位置を揃える装置である。本実施の形態の本棚２は、保育所等の施設で利用される。
【００２２】
図１、図２に示されるように本棚２は、一対の側板４、５と、側板４、５間に配設される棚板３と、本棚２の後方に設けられる背板６と、本棚上方に設けられる上板７を備えている。棚板３上に書籍Ａが陳列可能となっている。
【００２３】
図２に示されるように、本棚２の前面の下部には、棒状の阻止部材８が固定されており、段差を構成している。阻止部材８は、後述する押し出し部材１７により押し出された書籍Ａの背表紙Ａ１が接触した後の移動を阻止し、複数の書籍の背表紙を揃えるための部材である。
【００２４】
また、棚板３の上面の奥側には、左右方向に所定間隔離間し、且つ奥行き方向に任意の長さで設けられた溝１０が設けられている。溝１０は、摺動部材９のガイドとなり、摺動部材９は、溝１０に沿って摺動可能に配置される。摺動部材９は隣接する該摺動部材９の位置に関係なく棚板３の上を溝１０に沿って平行に移動可能とされている。
【００２５】
また、本棚２の上板７には、棚板３の溝１０と平行かつ対称の位置に溝１０（図示せず）が設けられている。また、側板４、５には、押し出し部材を設置するための、奥行き方向に所定の長さを有する矩形状の両側板穴１１、１２が設けられている。
【００２６】
図３に示されるように、摺動部材９は本棚２の高さ方向に所定の長さを有した四角柱と、その上面１３、下面１４に、棚板３、上板７の溝１０と同寸幅の上下面凸部１５、１６と、から主に構成されている。上下面凸部１５、１６が溝１０に係合可能となっている。
【００２７】
図４に示されるように、摺動部材９は溝１０上において上下面凸部１５、１６が係合することにより、自立可能となるとともに本棚２の奥行き方向に対する力に対して摺動可能となっている。
【００２８】
図５に示されるように、押し出し部材１７は本棚２の長手方向に所定の長さを有し、また摺動部材９の四角柱の幅とほぼ同寸の幅を有した薄い板材からなる複数の突起部１８と、突起部１８と平行に所定の長さを有する丸棒からなるグリップ１９と、から主に構成されており、突起部１８は、板面に直角な方向からの外力が大きいほど曲げ変形量が増大する。
【００２９】
図６を参照して、摺動部材９、押し出し部材１７の位置関係及び動作を説明する。摺動部材９は、図６に示されるように、書籍Ａの後方において、書籍Ａと幅方向が平行となるように配置される。
【００３０】
さらにその後方に押し出し部材１７が配置される。また、押し出し部材１７は、突起部１８が棚板３に対して上方に向けた状態で配置される。また、押し出し部材１７は、本棚２の両側板穴１１、１２の任意の位置に係合するように本棚２の長手方向に平行に配置される。
【００３１】
続いて、書籍前揃え装置１の使用形態について説明する。図１は、書籍の背表紙Ａ１の位置が乱れた状態を表している。この時、図６に示されるように摺動部材９は書籍Ａより後方に停止している。また、押し出し部材１７の突起部１８は摺動部材９から離間して倒立している。
【００３２】
続いて、図７、図８に示されるように、押し出し部材１７のグリップ部１９を操作する。これにより、押し出し部材１７の突起部１８が本棚２の手前側へ回転し、摺動部材９に当接する。さらに突起部１９の操作が継続することにより、摺動部材９に奥行方向への加圧が開始し、摺動部材９が溝１０の長手方向に摺動する。
【００３３】
摺動部材９は書籍Ａに当接した後も押し出し部材１７による加圧により摺動を続けるが、書籍Ａの背表紙Ａ１が阻止部材８に当接することで摺動を停止する。
【００３４】
また、押し出し部材１７の突起部１８の幅は摺動部材９の幅と同等、もしくはより小さくすることで単一の摺動部材９に単一の突起部１８が対応するように構成されている。
【００３５】
図９に示されるように、その後も続けて摺動部材９が加圧されると、突起部１８が曲げ変形を起こし過剰な加圧を防止する。この時の曲げ変形量は弾性変形の範囲に留められる。また、前揃え作業完了時には押し出し部材１７の突起部１８は書籍Ａの奥行き寸法の大小に合わせて変形している。
【００３６】
書籍Ａの背表紙Ａ１が全て阻止部材８に当接した時点で押し出し部材１７のグリップ部１９を手放すことで、押し出し部材１７の突起部１９の加圧による曲げ変形が弾性変形により元の形状に戻る。
【００３７】
このように、本実施の形態によれば、押し出し部材１８のグリップ部１９を操作するという一つの動作で、簡便に複数の書籍Ａを前揃えさせることができる。具体的には、押し出し部材１７のグリップ１９の回転により、突起部１８が摺動部材９に当接し、続けて回転を継続することで、本棚奥行き方向に摺動部材９を書籍Ａとともに摺動させる。
【００３８】
大きな寸法の書籍Ａでは、小さい寸法の書籍Ａよりも先に阻止部材８に背表紙Ａ１が当接する。大きな寸法の書籍Ａでは突起部１８の曲げ変形することで、過剰な加圧を防止される。一方、寸法の小さい書籍Ａでは、大きい寸法の書籍Ａで突起部１８の曲げ変形が生じている間に、小さい寸法の書籍Ａに対応する摺動部材９に突起部１８が当接し、これにより書籍Ａを移動させることができる。
【００３９】
以上のことから、簡便に書籍Ａを前揃えさせることができる。
【００４０】
また、押し出し部材１７の突起部１８は分割することで、書籍Ａのサイズに差があり隣接する突起部１８で変形量に差が生じても、加圧は等しく行われ、サイズの小さい書籍が阻止部材０８に当接するまで押し続けることができる。
（第２の実施の形態）
【００４１】
次に、第２の実施の形態に係る書籍前揃え装置につき、図１０から図１２を参照して説明する。尚、前記実施の形態と同一構成である重複する構成の説明を省略する。ここで、重複する構成は、押し出し部材１７以外の構成を指す。以降は、主に押し出し部材１７について説明する。
【００４２】
図１０に示される押し出し部材１７は第１の実施の形態の通常の押し出し部材１７と同様のグリップ部１８を備えるが突起部１８が、幅方向、長手方向に所定の寸法を有した板ばね部材２１を変更されて構成されている。ここで使用される板ばね材２１は、幅１ｃｍに対して４００ｇの物体を押すことが可能な程度の強度を有するものが良い。
【００４３】
図１１、図１２に示される押し出し部材１７の突起部２０にあっては、前揃え作業時のグリップ部１９の回転時に書籍Ａの背表紙Ａ１が阻止部材８に当接し停止した場合において、摺動部材９に当接している押し出し部材１７の突起部２０の板ばね部材２１に生じる曲げ応力が許容範囲を超えて板ばねの機能の範囲で変形する。これによれば、前揃え作業を行う際に、押し出し部材１７の突起部２０から摺動部材９を介して書籍Ａに加圧することが容易であり、また奥行寸法の大きい書籍が阻止部材８に当接して停止し、押し出し部材１７の突起部２０の変形が必要になった場合においても、板ばね部材２１の変形能力により容易に解決することができる。
【００４４】
以上、本発明の実施例を図面により説明してきたが、具体的な構成はこれら実施例に限られるものではなく、本発明の要旨を逸脱しない範囲における変更や追加があっても本発明に含まれる。
【００４５】
例えば、前記実施例では、押し出し部材の突起部が分割されていたが、くし型のような一体に形成されていてもよい。
【００４６】
また、本棚の側板の押し出し部材と係合する側板穴は、押し出し部材を支持できればよく、矩形状に限らず、例えば段付きの曲線状を採用してもよい。
【００４７】
また、押し出し部材の操作は、摺動部材を手前方向に押すことができればよいため、グリップ部の操作は回転ではなく手前への引っ張り（直線運動）でもよい。それに伴い、グリップ部
は本棚の両側面に設置してもよい。
【００４８】
また、摺動部材は、自立し、奥行方向に移動できればよいため、滑車とレールの組み合わせで移動させてもよい。また、摺動部材の高さも同様の理由により、本棚の上板に達しない高さでもよい。
また、阻止部材は、書籍の停止ができればよいため、丸棒、角棒でもよい。
【符号の説明】
【００４９】
１      書籍前揃え装置
２      本棚
３      棚板
４      右側板
５      左側板
６      背板
７      上板
８      阻止部材
９      摺動部材
１０    溝
１１    右側板穴
１２    左側板穴
１３    上面
１４    下面
１５    上面凸部
１６    下面凸部
１７    押し出し部材
１８    突起部
１９    グリップ部
２０    突起部
２１    板ばね部材
Ａ      書籍
Ａ１    書籍背表紙
【要約】
【課題】奥行き寸法が異なる複数の書籍の背表紙をより簡便に揃えることができる書籍前揃え装置及び書籍前揃え装置を備える本棚を提供する。
【解決手段】本棚２の棚板３上に陳列された複数冊の書籍Ａの背表紙Ａ１の位置を揃える書籍前揃え装置１であって、棚板３の幅方向に所定の長さを有し、棚板３上を奥行方向に平行移動可能な摺動部材９と、摺動部材９より後方に棚板３の奥行方向の任意の位置に配置され、摺動部材９を棚板３の奥行方向に摺動可能とする押し出し部材１７と、本棚２の前部に棚板３の幅方向に所定の長さを有し、書籍Ａの前揃え時に書籍Ａの背表紙Ａ１が接触し移動を停止させることが可能な阻止部材８と、を備えている。
【選択図】図８【図１】
0006925471.tif 000002
【図２】
0006925471.tif 000003
【図３】
0006925471.tif 000004
【図４】
0006925471.tif 000005
【図５】
0006925471.tif 000006
【図６】
0006925471.tif 000007
【図７】
0006925471.tif 000008
【図８】
0006925471.tif 000009
【図９】
0006925471.tif 000010
【図１０】
0006925471.tif 000011
【図１１】
0006925471.tif 000012
【図１２】
0006925471.tif 000013